【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
信号ルート指定回路であって、
第一のセグメント及び第二のセグメントを有する第一の信号経路と、
前記第一の信号経路の前記第一のセグメントに結合された論理回路と、
前記第一の信号経路の前記第二のセグメントに結合された第一のコネクタ・パッドと、
前記第一のセグメントと前記第二のセグメントとの間に配置された前記第一の信号経路と整列したルート指定マトリックス回路であって、前記第一のセグメントが前記第二のセグメントと結合される第一の状態と、前記第一のセグメントが前記第二のセグメントから切り離される第二の状態との間でプログラム可能なルート指定マトリックス回路と、
前記ルート指定マトリックス回路に結合されたプログラミング回路であって、前記ルート指定マトリックス回路を前記第一の状態と前記第二の状態との間で選択的にプログラムするよう、且つ、プログラミングの期間に前記ルート指定マトリックス回路を前記第一の信号経路の前記第一のセグメント及び前記第二のセグメントから絶縁するよう配置されるプログラミング回路と、
を備える回路。
【請求項２】
前記ルート指定マトリックス回路が、前記第一のセグメントと前記第二のセグメントとの間に直列に配置されたアンチヒューズを含み、
前記プログラミング回路が、前記アンチヒューズを前記第一の状態と前記第二の状態との間でプログラムするよう構成される、
請求項１記載の信号ルート指定回路。
【請求項３】
前記ルート指定マトリックス回路が、更に、前記アンチヒューズと前記第一のセグメントとの間に直列に配置される第一のプログラミング・スイッチ、及び、前記アンチヒューズと前記第二のセグメントとの間に直列に配置される第二のプログラミング・スイッチを備え、
前記第一のプログラミング・スイッチ及び前記第二のプログラミング・スイッチが、前記プログラミング回路に動作的に結合されるとともにプログラミングの期間に前記アンチヒューズを前記第二のセグメントのうちの選択された１つから絶縁するよう配置される、
請求項２記載の信号ルート指定回路。
【請求項４】
信号ルート指定回路であって、
第一のセグメントと複数の第二のセグメントとを有し、前記複数の第二のセグメントのそれぞれが互いに独立している第一の信号経路と、
前記第一のセグメントと前記複数の第二のセグメントとの間に配置された前記第一の信号経路と整列したルート指定マトリックス回路と、
前記ルート指定マトリックス回路に結合されたプログラミング回路と、
を具備し、
前記プログラミング回路が、前記第一のセグメントとのコンタクトがなされる第一の状態と、前記第一のセグメントとのコンタクトが断たれる第二の状態との間で前記複数の第二のセグメントのそれぞれに対してプログラム可能であり、
前記第一のセグメントが更に論理回路に結合され、
前記第二のセグメントの各々が、更に、関連するコンタクト・パッドに結合され、
前記ルート指定マトリックス回路が、前記第一の信号経路の前記第一のセグメントと前記第二のセグメントとの間に配置されたスイッチング・マトリックスを備え、
前記スイッチング・マトリックスが、前記第一の状態と前記第二の状態との間でプログラム可能であり、
前記プログラミング回路が、少なくとも一つのアンチヒューズと、該少なくとも一つのアンチヒューズを前記スイッチング・マトリックスに結合する感知回路とを更に備え、
前記プログラミング回路が、前記スイッチング・マトリックスを前記第一の状態と前記第二の状態との間で制御するよう前記アンチヒューズを選択的にプログラムするよう構成され、
前記感知回路が、前記少なくとも一つのアンチヒューズのプログラムされた状態を符号化する少なくとも一つのスイッチ制御信号を出力し、
前記スイッチング・マトリックスが、前記少なくとも一つのスイッチ制御信号によって前記スイッチング・マトリックスのスイッチングを制御する復号論理を更に備える、
信号ルート指定回路。
【請求項５】
半導体装置において信号のルートを指定する方法であって、
第一のセグメントと第二のセグメントとを有する第一の信号経路を設ける工程と、
論理回路を前記第一の信号経路の前記第一のセグメントに結合する工程と、
第一のコネクタ・パッドを前記第一の信号経路の前記第二のセグメントに結合する工程と、
ルート指定マトリックス回路を、前記第一のセグメントと前記第二のセグメントとの間に配置された前記第一の信号経路と整列するよう配置する工程と、
前記ルート指定マトリックス回路を前記第一のセグメント及び前記第二のセグメントから絶縁する工程と、
前記第一のセグメントが前記第二のセグメントに結合される第一の状態と前記第一のセグメントが前記第二のセグメントから切り離される第二の状態とのうちのいずれかを選択するよう前記ルート指定マトリックス回路をプログラムする工程と、
前記第一のセグメントと前記第二のセグメントとを前記ルート指定マトリックス回路に再結合する工程と、
を備える方法。
【請求項６】
前記ルート指定マトリックス回路が少なくとも一つのアンチヒューズを備える、請求項５に記載の方法。
【請求項７】
前記ルート指定マトリックス回路が前記第一のセグメント及び前記第二のセグメントから絶縁された後に、前記少なくとも一つのアンチヒューズにプログラミング電圧を印加する工程を更に備え、
前記プログラミング電圧が前記少なくとも一つのアンチヒューズから除去された後に、前記第一のセグメント及び前記第二のセグメントを前記ルート指定マトリックス回路に再結合する、
請求項６に記載の方法。
【請求項８】
前記ルート指定マトリックス回路が、前記第一のセグメント及び前記第二のセグメントに対する絶縁及び結合を、
前記ルート指定マトリックス回路と前記第一のセグメントとの間に直列に第一のトランジスタを配置し、
前記ルート指定マトリックス回路と前記第二のセグメントとの間に直列に第二のトランジスタを配置し、
前記第一のセグメント及び前記第二のセグメントを絶縁するよう前記第一のトランジスタ及び前記第二のトランジスタのゲートを制御する
ことによって選択的に行う、請求項５に記載の方法。
【請求項９】
半導体装置において信号のルートを指定する方法であって、
第一の信号経路と複数の第二の信号経路との間にスイッチング・マトリックスを結合することによってルート指定マトリックス回路を設け、少なくとも一つのアンチヒューズを設け、前記少なくとも一つのアンチヒューズと前記スイッチング・マトリックスとの間に感知回路を結合する工程であって、前記第二の信号経路のそれぞれが互いに独立しており、前記ルート指定マトリックス回路が、前記第一の信号経路を前記複数の第二の信号経路のうちの１つ以上の経路に選択的に接続するようプログラム可能であり、前記第一の信号経路が前記複数の第二の信号経路のうちの残りの経路から絶縁される工程と、
前記少なくとも一つのアンチヒューズに結合されたプログラミング回路であって、前記ルート指定マトリックス回路を選択的にプログラムするよう構成されたプログラミング回路を設ける工程と、
前記第一の信号経路を論理回路に結合する工程と、
前記複数の第二の信号経路のそれぞれをコンタクト・パッドに結合する工程と、
スイッチ制御信号を用いて前記スイッチング・マトリックスを制御するよう復号論理を用いる工程と、
を備える方法。
【請求項１０】
信号ルート指定回路であって、
第一のセグメントと複数の第二のセグメントとを有し、前記複数の第二のセグメントのそれぞれが互いに独立している第一の信号経路と、
前記第一のセグメントと前記第二のセグメントとの間に配置された前記第一の信号経路に整列し、前記第一のセグメントに対してコンタクトがなされる第一の状態と前記第一のセグメントに対するコンタクトが断たれる第二の状態との間で前記複数の第二のセグメントのそれぞれに対してプログラム可能なルート指定マトリックス回路であって、前記第一の信号経路の前記第一のセグメントと前記第二のセグメントとの間に配置されたスイッチング・マトリックスを備え、前記スイッチング・マトリックスが前記第一の状態と前記第二の状態との間でプログラム可能であるルート指定マトリックス回路と、
前記ルート指定マトリックス回路に結合され、前記複数の第二のセグメントのそれぞれに対して前記ルート指定マトリックス回路を前記第一の状態と前記第二の状態との間で選択的にプログラムするよう構成されたプログラム回路と、
を具備し、
前記プログラミング回路が、少なくとも一つのアンチヒューズと該少なくとも一つのアンチヒューズを前記スイッチング・マトリックスと結合する感知回路とを更に備え、
前記感知回路が、前記少なくとも一つのアンチヒューズのプログラムされた状態を符号化する少なくとも一つのスイッチ制御信号を出力し、
前記スイッチング・マトリックスが、前記少なくとも一つのスイッチ制御信号によって動作的に制御され、
前記スイッチング・マトリックスが、前記少なくとも一つのスイッチ制御信号によって該スイッチング・マトリックスのスイッチングを制御するための復号論理を更に備え、
前記プログラミング回路が、前記スイッチング・マトリックスを前記第一の状態と前記第二の状態との間で制御するよう前記アンチヒューズを選択的にプログラムするよう構成される、
信号ルート指定回路。
【請求項１１】
半導体装置において信号のルートを指定する方法であって、
第一の信号経路と複数の第二の信号経路との間にスイッチング・マトリックスを結合することによりルート指定マトリックス回路を設け、少なくとも一つのアンチヒューズを設け、前記少なくとも一つのアンチヒューズと前記スイッチング・マトリックスとの間に感知回路を結合する工程と、
前記第一の信号経路を前記ルート指定マトリックス回路に結合する工程と、
前記複数の第二の信号経路を前記ルート指定マトリックス回路に結合する工程であって、前記第二の信号経路のそれぞれが互いに独立しており、前記ルート指定マトリックス回路が前記第一の信号経路を前記複数の第二の信号経路のうちの一つ以上の経路と選択的に接続するようプログラム可能であり、前記第一の信号経路が前記複数の第二の信号経路のうちの残りの経路から絶縁される工程と、
前記ルート指定マトリックス回路を選択的にプログラムするよう構成された前記少なくとも一つのアンチヒューズと結合されたプログラミング回路を設ける工程と、
前記スイッチ制御信号を用いて前記スイッチング・マトリックスを制御するよう復号論理を用いる工程と、
を備える方法。